(57)【要約】【課題】  天井埋め込み型のスピーカーにおいて、発生する振動が天井材を介して隣室や建物躯体に伝搬しないような構造を備えるとともに、施工性および意匠性を兼ね備えたものとする。【解決手段】  スピーカー１は、スピーカー本体部２とフランジ部３との間に振動吸収性能を有する第１の防振部材４ａが介装され、フランジ部３に向けて垂下された固定部材５と天井材１０２との間に第２の防振部材４ｂを備える。そして、天井面１０１のスピーカー取付穴１０３にスピーカー本体部２が室内側から嵌め込まれて、第１および第２防振部材４ａ、４ｂによってフランジ部３とスピーカー本体部２とが絶縁され、放音時にスピーカー本体部２に生じる振動のフランジ部３および天井面１０１へ伝達を抑制するようになっている。【選択図】  図１
2009017102.tif 000002
【特許請求の範囲】
【請求項１】
室内の天井面に設けられたスピーカー取付穴にスピーカーを固定するスピーカーの天井取付構造であって、
スピーカーは放音部を底部に備えたスピーカー本体部とこのスピーカー本体部の底部外周に張り出すようにして設けられたフランジ部を有し、これらのスピーカー本体部とフランジ部との間には振動吸収性能を有する防振部材が介装されており、
天井面のスピーカー取付穴にスピーカー本体部が室内側から嵌め込まれて天井裏に納められるとともに、フランジ部はスピーカー取付穴の室内側周縁部に当接して天井面とほぼフラットな取付形態で固定されて、前記放音部が室内に臨んで天井面に配設され、
前記防振部材によってフランジ部とスピーカー本体部とが絶縁され、放音時にスピーカー本体部に生じる振動のフランジ部および天井面への伝達が抑制されることを特徴とするスピーカーの天井取付構造。
【請求項２】
前記防振部材には、内周および外周にそれぞれ一条の嵌合溝が形成されており、内周の嵌合溝にスピーカー本体部の底部外周縁部が、外周の嵌合溝にフランジ部の内周縁部がそれぞれ嵌合されて一体化されていることを特徴とする請求項１に記載のスピーカーの天井取付構造。
【請求項３】
前記スピーカー本体部の側面にはフランジ部に向けて垂下された固定部材を備え、固定部材の下端部には振動吸収性能を有する第２の防振部材が配設されており、この固定部材とフランジ部とが、天井面を構成する天井材を上下から挟み込んでスピーカーを天井面に固定するとともに、固定部材と天井材との間に介在する第２の防振部材により、放音時にスピーカー本体部に生じる振動の天井材への伝達が抑制されることを特徴とする請求項１または２に記載のスピーカーの天井取付構造。
【請求項４】
前記フランジ部には、スピーカー取付穴の周縁部との当接面に位置決め片が突設されており、この位置決め片が前記スピーカー取付穴の開口縁に近接して配置されることにより、スピーカの天井面への取付位置が決定されるとともに、前記スピーカー本体部とフランジ部との間に介装された防振部材と前記天井材との接触を回避させることを特徴とする請求項１〜３のいずれか一つの請求項に記載のスピーカーの天井取付構造。
【請求項５】
室内の天井面に設けられたスピーカー取付穴に取り付けられるスピーカーであって、
放音部を底部に備えたスピーカー本体部とこのスピーカー本体部の底部外周に張り出すようにして設けられたフランジ部を有し、これらのスピーカー本体部とフランジ部との間には振動吸収性能を有する第１の防振部材が介装されており、
スピーカー本体部は、このスピーカー本体部に対して出没自在な固定部材を側面に備え、この固定部材とフランジ部とが、天井面を構成する天井材を上下から挟み込むことにより、スピーカー本体部が天井面に固定されるように形成され、この固定部材の下端部には振動吸収性能を有する第２の防振部材が配設されており、
天井面のスピーカー取付穴にスピーカー本体部が室内側から嵌め込まれて天井裏に納められるとともに、フランジ部がスピーカー取付穴の室内側周縁部に当接して天井面とほぼフラットな取付形態で固定され、前記放音部が室内に臨んで天井面に配設されたとき、前記第１および第２の防振部材がスピーカー本体部と天井材とを絶縁するように構成されたことを特徴とするスピーカー。
【発明の詳細な説明】
【技術分野】
【０００１】
本発明は、室内の天井面に設けられるスピーカーおよびこのスピーカーの天井取付構造に関する。
【背景技術】
【０００２】
近年の家庭用プロジェクターや大画面テレビ等の低価格化にともなって、住宅にオーディオルームやシアタールーム等の音響・映像設備を備えた居室を設ける例が見られるようになっている。また、このような音響・映像専用の居室を計画せずとも、通常のリビングルームなどを、そのままシアタールームとして使用するケースも増えてきている。これらのシアタールーム等の魅力は、大画面による迫力のある映像を楽しめるほか、複数のスピーカーを視聴位置の周囲に配置し、あたかも映画館や音楽ホールのような雰囲気で映画や音楽等を楽しむことができることである。
【０００３】
また、このような音響・映像設備を備えた居室では、複数のスピーカーが吊り下げ設置されたり、スクリーンの側部や後部の床面に載置されたりしている。しかし、住宅等の限られた居室空間においてスピーカーを床面に設置したり、天井から複数のスピーカーが吊り下げられたりすることは、居住スペースを狭めるだけでなくインテリアとして意匠性にも劣る場合があり、スピーカーを天井面に埋め込み設置する方が好ましい場合が多く見られた。
【０００４】
天井埋め込み設置型のスピーカーは、吊り下げ設置されるスピーカーとは異なり、天井懐に納められるので居室のインテリアに影響を与えず、またスピーカーケーブル等も天井懐や壁内に納められて露出しないので、非常にすっきりと見せることができるという利点がある。しかし、天井ボード等の下地材をくり抜いて天井面に開口部を設け、この下地材の開口部にスピーカーを納めて、下地材に直接固定する設置方法が採用されるため、スピーカー鳴動時には、スピーカーの発する振動が下地材を介して建物躯体へ伝搬し、この固体振動音が上階や隣室への音漏れとなってしまうことが懸念された。このような周囲の居室への音漏れが生じると、他の居住者に迷惑となるだけでなく、スピーカー使用者は他の居住者に対して心理的負担を感じてしまうため、好みの音量で存分に音を楽しむことができないという不都合があった。
【０００５】
このような音漏れの問題に対して、従来、天井懐においてスピーカーの上側をボックス形状あるいは曲面形状等の防音カバーで囲い込み、それにより遮音するという方法が提案されているが、スピーカーに生じる振動が天井下地材に伝搬して、これを遮断することができないため、天井面全体に振動を生じてしまい、遮音効果をあまり期待できないものであった。また、このように天井懐において、スピーカーの周囲にボックス形状等の防音カバーを設置することは、施工手間がかかるものであった。
【０００６】
このため、前記シアタールーム等の普及に際しては、意匠性および音響効果の高い天井埋め込み設置型のスピーカーを採用するにあたって、スピーカーが発する振動の伝達をできるだけ抑えて、スピーカーの取り付けられている天井下地材から周囲の建物躯体や隣室へと伝わらないようにする具体的な方策が求められていた。
【０００７】
この種の振動を抑えるように考えられたスピーカーとして、例えば特許文献１には、スピーカーと筐体との間にゴムスペーサを介在させた構造が記載されている。この構造では、スピーカーの振動をゴムスペーサに吸収させて、スピーカーが発する振動が筐体に伝わりにくくなるように意図されている。
【特許文献１】特開平３−１２３１５３号公報
【発明の開示】
【発明が解決しようとする課題】
【０００８】
しかし、上記従来例のようなスピーカーの構造は、ゴムスペーサの分だけスピーカー全体が大きくなり、天井面に設けるようなスピーカーに適用すれば、ゴムスペーサの厚みによりスピーカーが天井面から突出するなど、意匠的に好ましくない設置形態となって、スピーカーを天井埋め込み設置する優位性を著しく損なってしまうという問題点があった。また、このようなスピーカーを取り付ける天井は、天井下地材として石こうボード等を使用していることが多く、重負荷が掛けられないので、部材点数を増やすことなく、安定的な設置形態であることが求められていた。
【０００９】
そこで本発明は、上記のような問題点にかんがみてなされたものであり、天井埋め込み型のスピーカーにおいて、発生する振動が天井下地材を介して隣室や建物躯体に伝搬しないような構造を備えるとともに、施工性および意匠性を兼ね備えたスピーカーおよびスピーカーの天井取付構造を提供するものである。
【課題を解決するための手段】
【００１０】
上記した目的を達成するため本発明は、室内の天井面に設けられたスピーカー取付穴にスピーカーを固定するスピーカーの天井取付構造であって、スピーカーは放音部を底部に備えたスピーカー本体部とこのスピーカー本体部の底部外周に張り出すようにして設けられたフランジ部を有し、これらのスピーカー本体部とフランジ部との間には振動吸収性能を有する防振部材が介装されており、天井面のスピーカー取付穴にスピーカー本体部が室内側から嵌め込まれて天井裏に納められるとともに、フランジ部はスピーカー取付穴の室内側周縁部に当接して天井面とほぼフラットな取付形態で固定されて、前記放音部が室内に臨んで天井面に配設され、前記防振部材によってフランジ部とスピーカー本体部とが絶縁され、放音時にスピーカー本体部に生じる振動のフランジ部および天井面への伝達が抑制されることを特徴とする。
【００１１】
このように構成されることにより、スピーカーの使用時にスピーカー本体部が振動しても、その振動がフランジ部に伝わるのを抑制し、天井面に振動を伝搬させないようにすることが可能となる。したがって、スピーカーを設けた居室の隣室、上層階等への音漏れを防ぐことができる。また、防振部材はスピーカー本体部とフランジ部との間に介装されるものであるので、スピーカー本体部の天井面からの突出量を抑え、フラットな天井面を形成することが可能である。
【００１２】
また、本発明では前記防振部材に、内周および外周にそれぞれ一条の嵌合溝が形成されており、内周の嵌合溝にスピーカー本体部の底部外周縁部が、外周の嵌合溝にフランジ部の内周縁部がそれぞれ嵌合されて一体化されていることを特徴とする。
【００１３】
このように構成されることにより、簡単な構造で部品点数を増やすことなく、スピーカー本体部にフランジ部を保持固定することができ、意匠性を損なわずに、これらを一体化させることが可能となる。
【００１４】
また、本発明では前記スピーカー本体部の側面に、フランジ部に向けて垂下された固定部材を備え、固定部材の下端部には振動吸収性能を有する第２の防振部材が配設されており、この固定部材とフランジ部とが、天井面を構成する天井材を上下から挟み込んでスピーカーを天井面に固定するとともに、固定部材と天井材との間に介在する第２の防振部材により、放音時にスピーカー本体部に生じる振動の天井材への伝達が抑制されることを特徴とする。
【００１５】
このような構成により、スピーカー本体部が天井面に安定的に保持されるように取り付けることができ、また、固定部材が直接、天井材に接するのではなく、第２の防振部材が介在されて固定されるので、スピーカー本体部に生じる振動を天井材に伝えないように取り付けることが可能となる。
【００１６】
さらに、本発明において前記フランジ部には、スピーカー取付穴の周縁部との当接面に位置決め片が突設されており、この位置決め片が前記スピーカー取付穴の開口縁に近接して配置されることにより、スピーカの天井面への取付位置が決定されるとともに、前記スピーカー本体部とフランジ部との間に介装された防振部材と前記天井材との接触を回避させることを特徴とする。
【００１７】
このような構成により、天井材に取り付けられたスピーカー本体部とフランジ部とを絶縁する前記防振部材に対し、この位置決め片が天井材との間を確実に離隔し、前記防振部材と天井材とが接しないように絶縁するので、スピーカー本体部に生じる振動が天井材に全く伝搬しない防振効果の極めて高い取付構造とすることができる。さらに、この位置決め片によって、スピーカー本体部をスピーカー取付穴に挿入するとき、おのずと適切な設置位置に納められ、天井面へのスピーカーの取付作業が容易になって、前記防振効果の極めて高い取付構造を施工性よく、かつ安定的に実施することが可能となる。
【００１８】
また、上記した目的を達成するため本発明は、室内の天井面に設けられたスピーカー取付穴に取り付けられるスピーカーであって、放音部を底部に備えたスピーカー本体部とこのスピーカー本体部の底部外周に張り出すようにして設けられたフランジ部を有し、これらのスピーカー本体部とフランジ部との間には振動吸収性能を有する第１の防振部材が介装されており、スピーカー本体部は、このスピーカー本体部に対して出没自在な固定部材を側面に備え、この固定部材とフランジ部とが、天井面を構成する天井材を上下から挟み込むことにより、スピーカー本体部が天井面に固定されるように形成され、この固定部材の下端部には振動吸収性能を有する第２の防振部材が配設されており、天井面のスピーカー取付穴にスピーカー本体部が室内側から嵌め込まれて天井裏に納められるとともに、フランジ部がスピーカー取付穴の室内側周縁部に当接して天井面とほぼフラットな取付形態で固定され、前記放音部が室内に臨んで天井面に配設されたとき、前記第１および第２の防振部材がスピーカー本体部と天井材とを絶縁するように構成されたことを特徴とする。
【００１９】
このような構成とすることにより、第１の防振部材および第２の防振部材がスピーカー本体部と天井材との間で振動の伝搬を阻止するので、放音時に隣室や上層階へ音漏れするのを防ぐことができ、また、このような防振性能を備えても天井面からは突出しないで設置することができるので、居室の意匠性を損なわずに高い音響効果を得ることが可能となる。
【発明の効果】
【００２０】
上述のように構成される本発明によれば、天井埋め込み型のスピーカーにおいて発生する振動を、隣室や建物躯体に伝搬しない構造とすることができ、かつ良好な施工性のもと、安定した保持構造を実現し、天井面とほぼフラットな取付形態でスピーカーを設置することができるので居室インテリアの意匠性を損なうことなく、存分に音楽や映像等を楽しむことのできる音響空間を形成することが可能となる。
【発明を実施するための最良の形態】
【００２１】
以下、本発明に係るスピーカーおよびスピーカーの天井取付構造を実施するための最良の形態について、図面を参照しつつ説明する。
【００２２】
図１は本発明のスピーカーおよびスピーカーの天井取付構造を示す断面図、図２はスピーカーの取り付けられた天井の見上げ図である。
【００２３】
本発明を実施する居室１０には、天井部に天井材１０２が配設されて天井面１０１が構成されている。天井材１０２は、例えば石こうボード等の天井下地材にクロス張りするなどして仕上げられる。天井面１０１（天井材１０２）には、円形状のスピーカー取付穴１０３が開穿されており、このスピーカー取付穴１０３にスピーカー１が取り付けられるようになっている。
【００２４】
この形態のスピーカー１は、スピーカー本体部２を有している。スピーカー本体部２は、底部に着脱自在なスピーカーカバー２１を備えており、このスピーカーカバー２１を通して音を発するように内側に放音部２２が備えられている。また、このスピーカー本体部２の外部には、図示しないスピーカーケーブル等が配設され電気接続されるようになっている。
【００２５】
このスピーカー本体部２の底部には、その外周に鍔状に張り出すようにしてフランジ部３が設けられている。これらのスピーカー本体部２とフランジ部３との間には、振動吸収性能を有する第１の防振部材４ａが介装されている。
【００２６】
第１の防振部材４ａは、スピーカー本体部２に発生する振動を吸収することのできる弾性材料からなり、例えば軟質ゴム等の合成ゴム系材料、あるいは塩化ビニル樹脂、シリコン樹脂等の合成樹脂系材料からなる成形部材で、スピーカー本体部２の外周に沿って環状に取り付けられている。すなわち、第１の防振部材４ａは、図１に示すように、内周および外周にそれぞれ一条の嵌合溝４１、４２が形成されて、断面略Ｉ形状（もしくは断面略Ｈ形状）をなすように構成されている。そして、この内周の嵌合溝４１にスピーカー本体部２の底部外周縁部が嵌合され、外周の嵌合溝４２にフランジ部３の内周縁部が嵌合されることにより保持固定され、スピーカー本体部２とフランジ部３とが一体化されている。
【００２７】
また、フランジ部３には、天井面１０１との当接面に位置決め片３１が突設されている。この位置決め片３１は、天井面１０１のスピーカー取付穴１０３の開口縁（内周）に対応させて配置されている。すなわち、位置決め片３１はフランジ部３の当接面に環状に立設されており、位置決め片３１の外径は、スピーカー取付穴１０３の内径とほぼ等しいか少し小さく形成されて、スピーカー取付穴１０３の内周にちょうど嵌め込まれるように形成されている。位置決め片３１の内周は、第１の防振部材４ａに接しないように配設されている。
【００２８】
スピーカー１は、このような位置決め片３１がスピーカー取付穴１０３の開口縁に近接して配置されることにより、スピーカー１の天井面１０１への取付位置がおのずと決定されるとともに、第１の防振部材４ａと天井材１０２とが接しないように完全に離隔させて、両者の接触による振動の伝達を確実に回避できるようになっている。
【００２９】
また、スピーカー１は、スピーカー本体部２の側面に固定部材５を備えている。この固定部材５は、スピーカー本体部２の側面に均等に４箇所に配設されて、互いに対向するように設けられていることが好ましい。また、各固定部材５は、スピーカー本体部２の側面から、フランジ部３の当接面に向けて垂下するように形成されている。
【００３０】
この固定部材５は、振動吸収性能を有する第２の防振部材４ｂが下端部に配設されている点に特徴がある。第２の防振部材４ｂは、前記第１の防振部材４ａと同様に、スピーカー本体部２に発生する振動を吸収しうる弾性材料からなり、例えば軟質ゴム等の合成ゴム系材料、あるいは塩化ビニル樹脂、シリコン樹脂等の合成樹脂系材料からなる成形部材で形成されていることが好ましい。
【００３１】
また、各固定部材５は、スピーカー本体部２に対して出没自在に形成されていることが好ましい。より具体的には、略Ｌ字形状に形成されて、その下端部に第２の防振部材４を備えた固定部材５は、スピーカー本体部２の側面の図示しない凹部に対して回動可能に取り付けられており、図１の状態では、凹部に収納されていた固定部材５を回動させることにより、スピーカー本体部２の側面に張り出すように配設した状態を示している。このようにスピーカー本体部２の側面に張り出した固定部材５と、フランジ部３とが、天井面１０１を構成する天井材１０２を上下から挟み込むことにより、スピーカー本体部２が天井面１０１に支持固定されるようになっている。
【００３２】
なお、固定部材５は、例示した形態に限らず、第２の防振部材４ｂを備えてフランジ部３に対して垂設されたものであればよく、スピーカー本体部２の側面から突出する板バネ材によりフランジ部３を押さえ込んで係止するものであっても、また、側面からフランジ部３の方向へ斜めに突設した挟持片等で構成されていてもよい。
【００３３】
このような構造を有するスピーカー１は、天井面１０１のスピーカー設置位置にあらかじめ開設しておいたスピーカー取付穴１０３を介して、スピーカー１の電気接続を行い、スピーカー本体部２を室内側から挿し入れて取り付けられる。この取り付けの際には、スピーカー本体部２の各固定部材５を側面の凹部に収納した状態でスピーカー取付穴１０３に下方から挿入する。また、固定部材５が板バネ材であれば、そのバネ弾性を利用して差し込むようにすればよい。このとき、スピーカー本体部２はスピーカーカバー２１を取り外した状態でスピーカー取付穴１０３に挿入される。
【００３４】
次に、スピーカー本体部２の内側から図示しないビスを螺合させて、側面から固定部材５を突出させ、天井材１０２の上面に当接させて締め付ける。これにより、天井材１０２は上方から固定部材５が圧着され、下方からフランジ部３の当接面が宛われて、上下から挟み込まれる。これとともに、スピーカー本体部２は天井面１０１に固定される。
【００３５】
スピーカー本体部２の内側からのビス締め等の取付作業を終えると、スピーカーカバー２１をスピーカー本体部２の底部に装着する。これにより、図１に示すように、スピーカー１が天井面１０１に取付固定され、放音部２２が室内に臨んで配設される。
【００３６】
スピーカー１は、天井材１０２に取り付けられているが、スピーカー本体部２とフランジ部３とが第１の防振部材４ａで絶縁されており、この第１の防振部材４ａと天井材１０２とが位置決め片３１で離隔して絶縁され、さらにスピーカー本体部２から張り出した固定部材５の下端部の第２の防振部材４ｂが天井材１０２との間に介在されて絶縁する。これにより、スピーカー本体部２に生じる振動が、これらの防振部材４ａ、４ｂで吸収されて、天井材１０２には全く伝搬しない取付構造となっている。したがって、スピーカー１の放音時、騒音影響を生じうる振動を天井材１０２から隣室や建物躯体へと伝えることがなく、他の居室の生活環境への影響を最小限に抑え、スピーカー使用者が心理的負担をもつことなく音楽等を楽しむ空間を形成するのに寄与することができる。
【００３７】
また、上記のように構成されることにより、スピーカー１における天井面１０１からの突出寸法を抑えてほぼフラットな天井面１０１を形成することができる。このため、天井面１０１に複数個のスピーカー１を設置しても居室インテリアの意匠性を損なうことがなく、快適な音響空間を形成することが可能となる。また、スピーカー１の取付施工も容易であり、フランジ部３の位置決め片３１をスピーカー取付穴１０３の開口縁に近接配置するようにスピーカー本体部２を挿入し、固定部材５により固定するだけで、複雑な施工作業を経ずとも、天井材１０２と第１の防振部材４ａとが接しないように完全に離隔させつつ、適切な取付位置に設置することができ、部品点数も少なく、良好な施工性のもと、安定した保持構造および防振構造を実現することができる。
【００３８】
なお、スピーカー１は、居室の天井面１０１に１箇所だけでなく複数箇所、例えば居室の天井に、スピーカー１を前方左右（フロントスピーカー）、後方左右（リアスピーカー）、および中央（センタースピーカー）の合計５箇所にそれぞれ配置し、５．１ｃｈサラウンドシステムを構成するようにしてもよく、より一層、高音質で臨場感あふれる音響効果を得ることが可能になる。また、かかるスピーカー１の裏側に適宜の形状の防音カバーを取り付けて、天井懐における遮音性を高めて、より効果的な音響環境を実現するようにしてもよい。
【図面の簡単な説明】
【００３９】
【図１】本発明のスピーカーおよびスピーカーの天井取付構造を示す断面図である。
【図２】本発明に係るスピーカーの取り付けられた天井の見上げ図である。
【符号の説明】
【００４０】
１    スピーカー
２    スピーカー本体部
２２  放音部
３    フランジ部
３１  位置決め片
４ａ  第１の防振部材
４１、４２  嵌合溝
４ｂ  第２の防振部材
５    固定部材
１０  居室
１０１  天井面
１０２  天井材
１０３  スピーカー取付穴
【図１】
2009017102.tif 000003
【図２】
2009017102.tif 000004